(57)【要約】【課題】指掛け用折り込み部を有する包装箱において、箱強度を確保しながら、折り込み部の折り曲げ操作性を向上すること。【解決手段】包装箱１０の上端部で、側板１１とこの側板１１に連設線２１を介して連設されたフラップ１３とにまたがるように設けられた２本の切り込み２２と、フラップ１３に形成された２本の切り込み２２の一端を互いに結ぶ第１の罫線２３と、フラップ１３に形成された２本の切り込み２２を互いに結び、かつ第１の罫線２３と連設線２１との間に位置する第２の罫線２４と、側板１１に形成された２本の切り込み２２の他端を互いに結ぶ第３の罫線２５とを有し、２本の切り込み２２と第１と第３の罫線２５に囲まれる範囲を指掛け用折り込み部２０とする包装箱１０であって、連設線２１の長さに対し、第１の罫線２３と第３の罫線２５の長さをそれぞれ異にするもの。【選択図】  図５
2004307000.tif 000002
【特許請求の範囲】
【請求項１】
包装箱の上端部で、側板とこの側板に連設線を介して連設されたフラップとにまたがるように設けられた２本の切り込みと、
フラップに形成された２本の切り込みの一端を互いに結ぶ第１の罫線と、
フラップに形成された２本の切り込みを互いに結び、かつ第１の罫線と連設線との間に位置する第２の罫線と、
側板に形成された２本の切り込みの他端を互いに結ぶ第３の罫線とを有し、
２本の切り込みと第１と第３の罫線に囲まれる範囲を指掛け用折り込み部とする包装箱であって、
連設線の長さに対し、第１の罫線と第３の罫線の長さをそれぞれ異にすることを特徴とする包装箱。
【請求項２】
前記切り込みを連設線に対し斜めに設ける請求項１に記載の包装箱。
【請求項３】
前記折り込み部を包装箱の相対する上端部のそれぞれに形成してなる請求項１又は２に記載の包装箱。
【発明の詳細な説明】
【０００１】
【発明の属する技術分野】
本発明は段ボール箱等の包装箱に関する。
【０００２】
【従来の技術】
大カートンの包装箱から、複数の個装カートン等の被包装物を取出し容易とする包装箱として、特許文献１に記載のものがある。特許文献１の包装箱は、包装箱の上端部で、側板とこの側板に連設線を介して連設されたフラップとにまたがるように設けられた２本の切り込みと、フラップに形成された２本の切り込みの一端を互いに結ぶ第１の罫線と、フラップに形成された２本の切り込みを互いに結び、かつ第１の罫線と連設線との間に位置する第２の罫線と、側板に形成された２本の切り込みの他端を互いに結ぶ第３の罫線とを有し、２本の切り込みと第１と第３の罫線に囲まれる範囲を指掛け用折り込み部とする。
【０００３】
特許文献１の包装箱に詰め込まれた被包装物を取出すときには、フラップを開いた状態で、指掛け用折り込み部を構成するようにフラップに設けてある２本の切り込みに挟まれる部分を親指等により押し込んで外側にほぼ直角に折り曲げる。これにより、第１の罫線、第２の罫線、第３の罫線、及び連設線が屈曲せしめられ、２本の切り込みに挟まれる側板の部分も外側にほぼ直角に折れ曲がり、その内側の被包装物の上端が露出するから、この被包装物の露出面に指を容易に掛けて該被包装物を包装箱から引き上げることにより、被包装物を容易に取出しできる。
【０００４】
【特許文献１】
特開２００２−２６４９２３（［０００５］、［０００６］）
【０００５】
【発明が解決しようとする課題】
特許文献１の如くの包装箱では、箱強度の脆弱化を回避するために指掛け用折り込み部の切欠面積を可及的に小さくしながら、親指等による折り込み部の折り曲げ操作や被包装物の露出面に対する指掛けの確実容易のために折り込み部の切欠面積が大きくなる。また、指掛け用折り込み部における側板とフラップの連設線に沿う方向の長さとして、折り込み部の折り曲げ操作や被包装物の露出面に対する指掛けに必要とされる一定長さが長くなる（図６参照）。
【０００６】
このとき、特許文献１の如くの包装箱では、図６に示す如く、側板とフラップとにまたがるように設けられた２本の切り込みを平行にしているから、第１の罫線、第２の罫線、第３の罫線、及び連設線の全ての長さを上述の折り込み部の折り曲げ操作や被包装物の露出面に対する指掛けに必要とされる最小長さにするものとなる。このため、折り込み部の折り曲げのために、第１の罫線、第２の罫線、第３の罫線、及び連設線を屈曲するために必要になる折り曲げ操作力が、それらの第１の罫線、第２の罫線、第３の罫線、及び連設線の合計長さにほぼ比例して大きくなり、折り込み部の折り曲げ操作性が悪い。
【０００７】
本発明の課題は、指掛け用折り込み部を有する包装箱において、箱強度を確保しながら、折り込み部の折り曲げ操作性を向上することにある。
【０００８】
【課題を解決するための手段】
請求項１の発明は、包装箱の上端部で、側板とこの側板に連設線を介して連設されたフラップとにまたがるように設けられた２本の切り込みと、フラップに形成された２本の切り込みの一端を互いに結ぶ第１の罫線と、フラップに形成された２本の切り込みを互いに結び、かつ第１の罫線と連設線との間に位置する第２の罫線と、側板に形成された２本の切り込みの他端を互いに結ぶ第３の罫線とを有し、２本の切り込みと第１と第３の罫線に囲まれる範囲を指掛け用折り込み部とする包装箱であって、連設線の長さに対し、第１の罫線と第３の罫線の長さをそれぞれ異にするようにしたものである。
【０００９】
【発明の実施の形態】
（第１実施形態）
包装箱１０は、図１に示す如く、段ボール箱等であり、相対する長辺側の側板１１、１１と、相対する短辺側の側板１２、１２と、各側板１１、１１、１２、１２の下端に連設された底板形成用フラップ（不図示）と、各側板１１、１１、１２、１２の上端に連設された蓋板形成用フラップ１３、１３、１４、１４からなる。包装箱１０は、側板１１、１１、１２、１２の下端に連設された底板形成用フラップを折り曲げて底板を形成し、蓋板形成用フラップ１３、１３、１４、１４を折り曲げて蓋板を形成する。
【００１０】
包装箱１０は、複数の個装カートン等の被包装物１を詰め込み、フラップ１３、１３、１４、１４を開いた状態で、それらの被包装物１を取出す。包装箱１０は、被包装物１の取出しを容易にするため、以下の構成を備える。
【００１１】
包装箱１０は、相対する２つの長辺の上端部、及び相対する２つの短辺の上端部のそれぞれの複数位置に指掛け用折り込み部２０を設けている。各指掛け用折り込み部２０は、包装箱１０に詰め込まれている各被包装物１のそれぞれに対応するように設けられる。各折り込み部２０は、相隣る２つの被包装物１、１に併せ対応するものでも良い。
【００１２】
指掛け用折り込み部２０は、図２、図５（Ａ）に示す如く、側板１１（又は１２）とこの側板１１に連設線２１を介して連設されたフラップ１３（又は１４）とにまたがるように設けられた２本の切り込み２２、２２（全切線、段ボール箱のときには半切線でも可）と、フラップ１３に形成された２本の切り込み２２、２２の一端を互いに結ぶ第１の罫線２３（半切線でも可）と、フラップ１３に形成され２本の切り込み２２、２２の中間点を互いに結び、かつ第１の罫線２３と連設線２１との間に位置する第２の罫線２４（半切線でも可）と、側板１１に形成された２本の切り込み２２、２２の他端を互いに結ぶ第３の罫線２５（半切線でも可）と、側板１１に形成された２本の切り込み２２、２２の中間点を互いに結び、かつ第３の罫線２５と連設線２１との間に位置する第４の罫線２６（半切線でも可）を伴う。折り込み部２０は、２本の切り込み２２、２２と、第１と第３の罫線２３、２５に囲まれる範囲に設定される。
【００１３】
指掛け用折り込み部２０は、連設線２１の長さに対し、第１の罫線２３と第３の罫線２５の長さをそれぞれ異にする。具体的には、連設線２１の長さを折り込み部２０の折り曲げ操作や被包装物１の露出面に対する指掛けに必要とされる最小長さ（例えば５０ｍｍ）とし、第１の罫線２３と第３の罫線２５の長さ（例えば２５ｍｍ）を連設線２１の長さより短くする（図５（Ａ）、（図５の表示長さ単位はｍｍ））。そして、２つの切り込み２２、２２が連設線２１の側から第１の罫線２３又は第３の罫線２５に向けてなす間隔を次第に狭幅化するように、それらの切り込み２２、２２を連設線２１に対し斜めに設けた。これにより、第２の罫線２４と第４の罫線２６の長さも、連設線２１の長さより短くなる。
【００１４】
包装箱１０に詰め込まれた被包装物１を取出すときには、フラップ１３、１３、１４、１４を開いた状態で、各指掛け用折り込み部２０を以下の如くに折り込む。フラップ１３（１４）に設けた２本の切り込み２２、２２に挟まれる部分（図２（Ａ））を親指等により押し込んで外側にほぼ直角に折り曲げる（図２（Ｂ））。これにより、連設線２１、第１の罫線２３、第２の罫線２４、第３の罫線２５、第４の罫線２６が図３に示す如くの順に屈曲せしめられ、２本の切り込み２２、２２に挟まれる側板１１（１２）の部分も外側にほぼ直角に折れ曲り、側板１１（１２）に露出領域２７が切り開かれる。側板１１（１２）の内側の被包装物１の上端がこの露出領域２７において露出するから、この被包装物１の露出面に指を容易に掛けて該被包装物１を包装箱１０から引き上げることにより、被包装物１を容易に取出しできる。
【００１５】
本実施形態によれば以下の作用効果がある。
▲１▼包装箱１０において、連設線２１の長さを折り込み部２０の折り曲げ操作や被包装物１の露出面に対する指掛けに必要とされる最小長さにしたから、折り込み部２０の切欠面積を小さくして箱強度の脆弱化を回避し、かつ折り込み部２０の折り曲げ操作や被包装物１の露出面に対する指掛けの確実容易を図ることができる。
【００１６】
第１の罫線２３と第２の罫線２４と第３の罫線２５と第４の罫線２６の長さが連設線２１の長さより短くなるから、それらの罫線２３〜２６の長さを連設線２１の長さと同等にするもの（図６）に比して、それらの罫線２３〜２６及び連設線２１の合計長を減縮し、折り込み部２０の折り曲げのために、それらの罫線２３〜２６及び連設線２１を屈曲するために必要になる折り曲げ操作力を低減し、折り込み部２０の折り曲げ操作性を向上できる。
【００１７】
▲２▼包装箱１０の相対する上端部（相対する２つの長辺の上端部、及び相対する２つの短辺の上端部）のそれぞれに形成して相対する折り込み部２０、２０を折り曲げ操作することにより、それら相対する折り込み部２０、２０によって露出される被包装物１の相対する露出面を、両手の指で両側から挟むように指掛けし、該被包装物１を包装箱１０から引き上げることにより、被包装物１を確実かつ容易に取出しできる。
【００１８】
（第２実施形態）
第２実施形態の包装箱１０が第１実施形態の包装箱１０と異なる点は、指掛け用折り込み部２０の形状を図５（Ｂ）に示す如くに変更したことにある。尚、折り込み部２０は、第１実施形態と同様に、連設線２１、２本の切り込み２２、２２、第１の罫線２３、第２の罫線２４、第３の罫線２５、第４の罫線２６を備える。
【００１９】
指掛け用折り込み部２０は、第１の罫線２３と第３の罫線２５の長さを折り込み部２０の折り曲げ操作や被包装物１の露出面に対する指掛けに必要とされる最小長さ（例えば５０ｍｍ）とし、連設線２１の長さ（例えば２５ｍｍ）を第１の罫線２３と第３の罫線２５の長さより短くする（図５（Ｂ））。そして、２つの切り込み２２、２２が連設線２１の側から第１の罫線２３又は第３の罫線２５に向けてなす間隔を次第に広幅化するように、それらの切り込み２２、２２を連設線２１に対し斜めに設けた。これにより、第２の罫線２４と第４の罫線２６の長さも、第１の罫線２３と第３の罫線２５の長さより短くなる。
【００２０】
第２実施形態の包装箱１０にあっても、第１実施形態の包装箱１０と同様に、各折り込み部２０を折り込んで被包装物１を取出し可能にする。
【００２１】
本実施形態によれば以下の作用効果がある。
包装箱１０において、第１の罫線２３と第３の罫線２５の長さを折り込み部２０の折り曲げ操作や被包装物１の露出面に対する指掛けに必要とされる最小長さにしたから、折り込み部２０の切欠面積を小さくして箱強度の脆弱化を回避し、かつ折り込み部２０の折り曲げ操作や被包装物１の露出面に対する指掛けの確実容易を図ることができる。
【００２２】
連設線２１と第２の罫線２４と第４の罫線２６の長さが第１の罫線２３と第３の罫線２５の長さより短くなるから、連設線２１と第２の罫線２４と第４の罫線２６の長さを第１の罫線２３と第３の罫線２５の長さと同等にするもの（図６）に比して、それらの罫線２３〜２６及び連設線２１の合計長を減縮し、折り込み部２０の折り曲げのために、罫線２３〜２６及び連設線２１を屈曲するために必要になる折り曲げ操作力を低減し、折り込み部２０の折り曲げ操作性を向上できる。
【００２３】
（第３実施形態）
第３実施形態の包装箱１０が第１実施形態の包装箱１０と異なる点は、指掛け用折り込み部２０の形状を図５（Ｃ）に示す如くに変更したことにある。尚、折り込み部２０は、第１実施形態と同様に、連設線２１、２本の切り込み２２、２２、第１の罫線２３、第２の罫線２４、第３の罫線２５、第４の罫線２６を備える。
【００２４】
指掛け用折り込み部２０が第１実施形態と異なる点は、連設線２１の長さに対し、第１の罫線２３と第３の罫線２５の長さを異にするだけでなく、第１の罫線２３の長さと第３の罫線２５の長さを互いに異にしたことにある。第１の罫線２３の長さ、連設線２１の長さ、第３の罫線２５の長さの順に短くし、第１の罫線２３の長さを折り込み部２０の折り曲げ操作や被包装物１の露出面に対する指掛けに必要とされる最小長さ（例えば５０ｍｍ）とし、第３の罫線２５の長さ（例えば２５ｍｍ）を第１の罫線２３の長さより短くする。そして、２つの切り込み２２、２２が第１の罫線２３の側から連設線２１を経て第３の罫線２５の側に向けてなす間隔を次第に狭巾化するように、それらの切り込み２２、２２を連設線２１に対し斜めに設けた。
【００２５】
尚、第１実施形態〜第３実施形態の包装箱１０において、側板１１（１２）とフラップ１３（１４）にまたがるように設けられている２本の切り込み２２、２２は、図４に示す如く、包装箱１０のフラップ１３（１４）を開いた状態とすることで被包装物１を取出し可能な状態において、それらの切り込み面２２Ａ、２２Ａを側板１１、フラップ１３の表面に対し包装箱１０の内側から外側に拡開する斜め状にしても良い。これにより、指掛け用折り込み部２０において、２本の切り込み２２、２２に挟まれる部分の押し込みのために必要になる押し込み力Ｆを軽減できる。この場合、包装箱１０のカートン切出し用切断刃と、切り込み２２、２２の切り込み刃は別工程で用いられるものになる。
【００２６】
また、第１実施形態〜第３実施形態の包装箱１０において、第４の罫線２６は必須でない。
【００２７】
また、本発明において、２本の切り込みは曲線状とし、好適には切り込み部の折り曲げ操作や被包装物の露出面に対する指掛けの容易のために、折り込み部の外方に向けて凸状をなす曲線状とすることもできる。
【００２８】
また、本発明において、折り込み部は包装箱の相対する上端部の一方にだけ形成するものでも良い。
【００２９】
【発明の効果】
本発明によれば、指掛け用折り込み部を有する包装箱において、箱強度を確保しながら、折り込み部の折り曲げ操作性を向上することができる。
【図面の簡単な説明】
【図１】図１は包装箱を示す斜視図である。
【図２】図２は指掛け用折り込み部を拡大して示す斜視図である。
【図３】図３は指掛け用折り込み部の折り曲げ過程を示す模式図である。
【図４】図４は図１のＩＶ−ＩＶ線に沿う断面図である。
【図５】図５は指掛け用折り込み部の各種形状を示す模式図である。
【図６】図６は従来の指掛け用折り込み部を示す模式図である。
【符号の説明】
１  被包装物
１０  包装箱
１１、１２  側板
１３、１４  蓋板
２０  指掛け用折り込み部
２１  連設線
２２  切り込み
２３  第１の罫線
２４  第２の罫線
２５  第３の罫線
【図１】
2004307000.tif 000003
【図２】
2004307000.tif 000004
【図３】
2004307000.tif 000005
【図４】
2004307000.tif 000006
【図５】
2004307000.tif 000007
【図６】
2004307000.tif 000008